(57)【要約】【課題】レッグ開口部に容易に脚を通すことができ、装着性に優れており、着用中におむつのズレ落ちが生じにくい使い捨ておむつを提供すること。【解決手段】ウエスト開口部及び一対のレッグ開口部６，６が形成されているパンツ型の使い捨ておむつ１において、展開状態におけるおむつ長手方向全長を２等分する中央線を堺にして区分される前身頃Ａと後身頃Ｂとを、表面シート側の面同士を面接させて重ね合わせた平面状態において、各レッグ開口部６は、後身頃Ｂに位置する開口縁部６Ｂが前身頃Ａに位置する開口縁部６Ａよりもおむつ幅方向外方に位置しており、各レッグ開口部６の開口縁部に囲まれた各領域Ｐ１の面積ａと、前身頃Ａにおけるレッグ開口部同士間の領域Ｐ２の面積ｂとの比（ａ／ｂ）が０．３０〜０．７５である。【選択図】    図２
2004357951.tif 000002
【特許請求の範囲】
【請求項１】
液透過性の表面シート、液不透過性の裏面シート及び液保持性の吸収体を備え、ウエスト開口部及び一対のレッグ開口部が形成されているパンツ型の使い捨ておむつにおいて、
展開状態におけるおむつ長手方向全長を２等分する中央線を堺にして区分される前身頃と後身頃とを、前記表面シート側の面同士を面接させて重ね合わせた平面状態において、
前記各レッグ開口部は、前記後身頃に位置する開口縁部が前記前身頃に位置する開口縁部よりもおむつ幅方向外方に位置しており、
前記各レッグ開口部の開口縁部に囲まれた各領域の面積ａと、前記前身頃における前記レッグ開口部同士間の領域の面積ｂとの比（ａ／ｂ）が０．３０〜０．７５である使い捨ておむつ。
【請求項２】
前記平面状態において、前記両レッグ開口部間の幅の最小値が１００〜２００ｍｍである請求項１記載の使い捨ておむつ。
【請求項３】
前記平面状態において、前記各レッグ開口部の前記前身頃に位置する開口縁部が、おむつ幅方向内方側に凸に湾曲し、該レッグ開口部の前記後身頃に位置する開口縁部が、おむつ幅方向外方側に凸に湾曲している請求項１又は２記載の使い捨ておむつ。
【請求項４】
前記平面状態において、おむつ下端部から、前記両レッグ開口部間の幅が最小値を示す部位までの距離が３５〜１４０ｍｍである請求項１〜３の何れか記載の使い捨ておむつ。
【請求項５】
前記平面状態において、前記前身頃における前記レッグ開口部同士間の領域の面積ｂが１５０〜７００ｃｍ２である請求項１〜４の何れか記載の使い捨ておむつ。
【発明の詳細な説明】
【０００１】
【発明の属する技術分野】
本発明は、レッグ開口部に容易に脚を通すことができ、装着性に優れており、着用中におむつのズレ落ちが生じにくい使い捨ておむつに関する。
【０００２】
【従来の技術及び発明が解決しようとする課題】
従来、使い捨ておむつとして、ファスニングテープを有する展開型の使い捨ておむつと、予めパンツ型に形成されたパンツ型の使い捨ておむつが知られている。パンツ型の使い捨ておむつは、立ったまま装着できるなど、ショーツやパンツ等の下着と同様にして使用することができる等の利点を有しており、近年、成人用のパンツ型おむつの需要が増大している。
しかし、従来の成人用おむつは、幼児用のパンツ型おむつの形態に準じた形態に設計されており、成人用に適した形態であるとは必ずしも言えなかった。
【０００３】
特に、高齢者は装着時にとり得る姿勢や脚の上げ下げできる範囲等が制限されるため、レッグ開口部に脚をスムーズに通すことができずに装着に手間や時間を要する場合が多かった。また、着用中におむつがズレて背中が露出する等の問題があった。
レッグ開口部に脚を通し易くするためには、レッグ開口部形成用の凹欠部の形状を、着用者の前側を大きく切欠した形状にすることが考えられるが、その場合には、股間幅が狭くなって吸収性能が不充分となったり、漏れを生じやすくなる。
尚、特許文献１には、レッグ開口部の形状を着用者の前側と後側とで非対称とした使い捨ておむつが記載されている。しかし、特許文献１には、装着性とズレ落ち防止性能の両立について何ら記載されていない。
【０００４】
【特許文献１】
特開２０００−２３７２３３号公報
【０００５】
従って、本発明の目的は、レッグ開口部に容易に脚を通すことができ、装着性に優れており、着用中におむつのズレ落ちが生じにくい使い捨ておむつを提供することにある。
【０００６】
【課題を解決するための手段】
本発明は、液透過性の表面シート、液不透過性の裏面シート及び液保持性の吸収体を備え、ウエスト開口部及び一対のレッグ開口部が形成されているパンツ型の使い捨ておむつにおいて、展開状態におけるおむつ長手方向全長を２等分する中央線を堺にして区分される前身頃と後身頃とを、前記表面シート側の面同士を面接させて重ね合わせた平面状態において、前記各レッグ開口部は、前記後身頃に位置する開口縁部が前記前身頃に位置する開口縁部よりもおむつ幅方向外方に位置しており、前記各レッグ開口部の開口縁部に囲まれた各領域の面積ａと、前記前身頃における前記レッグ開口部同士間の領域の面積ｂとの比（ａ／ｂ）が０．３０〜０．７５である使い捨ておむつを提供することにより前記目的を達成したものである。
【０００７】
【発明の実施の形態】
以下、本発明をその好ましい実施形態に基づいて説明する。
第１実施形態の使い捨ておむつは、成人用のパンツ型おむつであり、図１〜３に示すように、液透過性の表面シート２、液不透過性の裏面シート（図示せず）及び液保持性の吸収体４を備え、着用時に着用者の腹側に配される腹側部Ａ’及び背側に配される背側部Ｂ’を有し、腹側部Ａ’の両側縁部Ａ１，Ａ１と背側部Ｂ’の両側縁部Ｂ１，Ｂ１とがヒートシール、高周波シール、超音波シール等の公知の接合手段により接合されて、ウエスト開口部５及び一対のレッグ開口部６が形成されている。
【０００８】
本使い捨ておむつ１は、図３に示すように、吸収性本体１０と、該吸収性本体１０の外面（着用者とは反対側に向けられる面）側に位置して該吸収性本体１０を固定している外装体２０とからなる。吸収性本体１０は、縦長矩形状をなしており、表面シート２、前記裏面シート（図示せず）及びこれら両シート間に挟持固定された吸収体４を具備してなる。吸収性本体１０は、その長手方向を、展開状態（図３に示す状態）におけるおむつ長手方向（図３の上下方向）に一致させ、外装体２０の中央部に公知の接合手段により接合されている。吸収性本体１０の長手方向の両側部には、一対の立体ガード７が形成されている。
【０００９】
第１実施形態における外装体２０は、非ギャザー型の伸縮性シートを用いて形成されており、図３に示すように、おむつ長手方向の中央領域の両側部にレッグ開口部形成用の一対の凹欠部６０，６０を有している。外装体２０の長手方向の両端部には、ウエスト部弾性部材５１が配されており、ウエスト部弾性部材５１は、前記伸縮性シートを折り返した部分に挟持固定されている。
【００１０】
ここで、非ギャザー型の伸縮性シートとは、少なくともおむつ幅方向（前身頃又は後身頃の幅方向）に弾性伸縮性を示すシートであって、シート材（不織布等）に弾性部材を伸張状態で接着固定して形成されたギャザーを有しないものであるか、又はそのようなギャザーを有するものであっても襞が微細で下記方法により測定したシートの厚みが２．０ｍｍ以下のものをいう。
【００１１】
（厚みの測定方法）
キーエンス（ＫＥＹＥＮＣＥ）社製の非接触型ＣＣＤレーザー変位センサＬＫ−０８０を用いて、５０ｍｍ×５０ｍｍのアクリル板（荷重０．６ｇ／ｃｍ２）をのせた時の厚みを測定する。
【００１２】
非ギャザー型の伸縮性シートとしては、例えば、不織布の内部に弾性糸を固定したものを用いることができ、前記不織布としては、ポリエステル、ポリポロピレン、ポリエチレン、アクリル、レーヨン等の繊維を単一又は複合して用いた湿式法、乾式法、スパンレース法、メルトブローン法、スパンボンド成形法によって形成される不織布等が挙げられ、前記弾性糸としては、伸縮性を有するゴム糸やポリウレタン弾性糸等が挙げられ、不織布内部への弾性糸の固定方法としては、不織布繊維層に伸縮性繊維を編み糸によってステッチ縫合する方法等が挙げられる。
【００１３】
非ギャザー型の伸縮性シートとしては、また、エラストマー材料からなるシートの片面又は両面に伸縮性を有する繊維集合体を積層して一体化してなるシートを用いることができる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
前記繊維集合体としては、熱可塑性ポリウレタン繊維、高捲縮性のポリエチレン繊維、高捲縮性のポリエステル繊維  等を用いることができる。エラストマー材料からなるシートに繊維集合体を固定する方法としては、シートに繊維集合体を熱融着により固定する方法等が挙げられる。
【００１４】
非ギャザー型の伸縮性シートとしては、各種公知のものを用いることができ、例えば特開２０００−１６０４６０、特開２００２−１８７２２８の各公報記載のもの等を用いることもできる。
【００１５】
本実施形態のおむつ１は、図２に示すように、展開状態におけるおむつ長手方向の全長を２等分する中央線ＣＬを堺にして区分される前身頃Ａと後身頃Ｂとを、前記表面シート２側の面同士を面接させて重ね合わせた平面状態（以下、単に平面状態ともいう）において、各レッグ開口部６は、後身頃Ｂに位置する開口縁部６Ｂが前身頃Ａに位置する開口縁部６Ａよりもおむつ幅方向外方に位置しており、各レッグ開口部６の開口縁部６Ａ，６Ｂに囲まれた各領域Ｐ１の面積ａと、前身頃Ａにおける前記レッグ開口部６，６同士間（前身頃Ａに存する開口縁部６Ａ，６Ａ同士間）の領域Ｐ２の面積ｂとの比（ａ／ｂ）が０．３０〜０．７５である。尚、前記面積ａは、各レッグ開口部について測定する。
【００１６】
平面状態における前記各領域Ｐ１，Ｐ２の面積（後述するその他の寸法等も同様）を測定する際には、後述する第２実施形態のおむつのように、前身頃Ａ又は後身頃Ｂにおけるレッグ開口部間にギャザーにより弾性伸縮性が付与されている場合には、該ギャザーを設計寸法まで引き延ばした状態として測定するが、本実施形態のおむつ１のように、非ギャザー型の伸縮性シートにより、前身頃Ａ又は後身頃Ｂのレッグ開口部間に弾性伸縮性が付与されている場合には、伸縮性シートに外力を作用させない状態（引き延ばさない状態，自然状態）において測定する。
但し、非ギャザー型の伸縮性シートにより弾性伸縮性が付与されている場合においても、伸縮性シート以外に、測定値に影響を与える弾性部材が存在する場合には、その弾性部材の収縮力の影響を排除した状態で測定する。例えば、前記ウエスト部弾性部材５１は、該ウエスト部弾性部材を除去したり切断したりして収縮力を発現しないようにするか、又は該ウエスト部弾性部材が存在しない場合と同じ寸法まで拡げて固定した状態（緊張状態）にして測定する。
【００１７】
前記比（ａ／ｂ）が０．３０未満であると、レッグ開口部６形成用の凹欠部６０（図３参照）の前身頃Ａ側の切り欠きの程度が不充分となり、装着性の向上効果が得られなくなったり、後身頃Ｂ側の切り欠きの程度が大きくて、おむつのズレ落ちが生じ易くなったり、臀部の被覆性が低下しておむつ左右方向のズレが生じ易くなる。
前記比（ａ／ｂ）が０．７５超であると、前身頃Ａ側の切り欠きの程度が大きすぎて充分な吸収性能を確保することが困難になったり、後身頃Ｂ側の切り欠きの程度が小さすぎて臀部よりも外側に被覆して余った部分が歩行の妨げとなったり、それが原因でずれ落ちがし易くなる。
【００１８】
レッグ開口部６形成用の凹欠部６０（図３参照）の形状を、後身頃Ｂ側よりも前身頃Ａ側を大きく切り欠いた形状として、前記平面状態における各レッグ開口部の後身頃Ｂに位置する開口縁部６Ｂが前身頃Ａに位置する開口縁部６Ａよりもおむつ幅方向外方に位置するようにすると共に、前記比（ａ／ｂ）を０．３０〜０．７５の範囲、好ましくは０．３０〜０．５０の範囲内にすることで、必要な吸収性能を確保しつつ、レッグ開口部に対する脚の挿通性を向上させることができ、また、着用時におけるおむつのズレ落ちが防止される。しかも、着用者の臀部が広く覆われることにより、着用時における左右方向のズレも防止される。更に、背側部側に充分な面積が確保されるので、おむつ内面に補助吸収具を載置して併用する場合の補助吸収具の位置ズレ及び漏れも防止される。
【００１９】
尚、非ギャザー型の伸縮性シートを用いて、外装体が形成されている場合、特に前身頃Ａ又は後身頃Ｂのレッグ開口部間に弾性伸縮性が付与されている場合には、おむつの外観がすっきりしたものとなり、また、肌に接触しても肌に優しいという利点がある。
【００２０】
レッグ開口部に対する脚の挿通性を向上させると共に、充分な吸収性能を確保して優れた漏れ防止性能が発現されるようにする観点から、前記平面状態において、両レッグ開口部６，６間の幅Ｗ１（図２参照）の最小値は１００〜２００ｍｍ、特に１２０〜１８０ｍｍであることが好ましい。
【００２１】
また、同様の観点、特に着用時におけるおむつのズレ落ち及び左右方向のズレを防止して漏れ防止性を一層向上させる観点から、前記平面状態において、各レッグ開口部６の前身頃Ａに位置する開口縁部６Ａは、おむつ幅方向内方側に凸に湾曲し、該レッグ開口部６の後身頃Ｂに位置する開口縁部６Ｂは、おむつ幅方向外方側に凸に湾曲していることが好ましい。
【００２２】
また、同様の観点から、前記平面状態において、おむつ下端部１２から、前記両レッグ開口部６，６間の幅Ｗ１が最小値を示す部位までの距離Ｌ１（図３参照）は３５〜１４０ｍｍ、特に５０〜１２０ｍｍであることが好ましい。尚、前記幅Ｗ１が最小値を示す部位が、おむつ長手方向に幅を有し領域として存在する場合、その幅を２等分する線（おむつ幅方向に延びる線）までの距離を、おむつ下端部からの離間距離Ｌ１とする。
【００２３】
また、同様の観点から、前記平面状態において、前身頃Ａにおける前記レッグ開口部同士間の領域Ｐ２の面積ｂが１５０〜３００ｃｍ２、特に２００〜３００ｃｍ２であることが好ましい。
また、同様の観点から、前記平面状態において、各レッグ開口部６の開口縁部６Ａ，６Ｂに囲まれた各領域Ｐ１の面積ａは４５〜１００ｃｍ２、特に６０〜１００ｃｍ２であることが好ましい。
【００２４】
次に、第２実施形態の使い捨ておむつ１’について説明する。第２実施形態のおむつ１’は、外装体の構成が上述したおむつ１と異なる以外は、上述したおむつ１と同様であるため、同様の構成要素には同一の符号を付し、以下においては、主として上述したおむつ１と異なる点について説明する。特に説明しない点は、上述した使い捨ておむつ１についての説明が適用される。
【００２５】
第２実施形態のおむつ１’における外装体２０’は、図４に示すように、おむつの外表面（着用者とは反対側に向けられる面）を形成する外層シート２１と、該外層シート２１に隣接してその内側に積層接着された内層シート２２とを具備し、これら両シート間に、後述する各種の弾性部材５１、６１、７１が、ホットメルト型接着剤等の接着剤を用いて固定されている。
【００２６】
第２実施形態のおむつ１’においては、ウエスト開口部の開口周縁部に周方向に沿ってウエストギャザー形成用のウエスト弾性部材５１が配設されており、一対のレッグ開口部それぞれの開口周縁部にもその周方向に沿ってレッグ弾性部材６１が配設されている。更に、ウエスト開口縁端５０から股下方向に５０ｍｍ離間した位置から、レッグ開口部６の上端縁６２の位置までの範囲である胴回り部Ｅにも、胴周囲方向に沿って複数本の胴回りギャザー形成用の胴回り部弾性部材７１が配設されている。
【００２７】
第２実施形態のおむつ１’においては、弾性部材６１により形成されたギャザーにより、前身頃Ａ及び後身頃Ｂそれぞれのレッグ開口部同士間に弾性伸縮性が付与されており、また、胴回り部弾性部材７１及びウエスト弾性部材５１の存在の有無がレッグ部同士間の寸法に影響を与えるため、これらの弾性部材５１，６１，７１の収縮力の影響を排除した状態で、平面状態における前記各領域Ｐ１，Ｐ２の面積（おむつ１に関して説明した各部の寸法等も同様）を測定する。
具体的には、弾性部材５１，６１，７１を、各弾性部材を除去したり切断したりして収縮力を発現しないようにするか、又は各弾性部材が存在しない場合と同じ寸法まで拡げて固定した状態（緊張状態）で測定する。
【００２８】
そして、本実施形態のおむつ１’においても、各レッグ開口部６の開口縁部６Ａ，６Ｂに囲まれた各領域Ｐ１の面積ａ（図２参照）と、前身頃Ａにおける前記レッグ開口部６，６同士間（前身頃Ａに存する開口縁部６Ａ，６Ａ同士間）の領域Ｐ２の面積ｂ（図２参照）との比（ａ／ｂ）が０．３０〜０．７５であり、他の好ましい寸法や面積等についても第１実施形態のおむつ１と同様である。そのため、第１実施形態と同様の作用効果が奏される。
但し、充分な吸収性能を維持しつつ、脚のレッグ開口部に対する挿通性の向上させ、更には、着用時におけるおむつのズレ落ち及び／又はおむつ左右方向のズレを防止する観点から、前記平面状態において、前記前身頃における前記レッグ開口部６，６同士間の領域Ｐ２の面積ｂが３００〜７００ｃｍ２、特に４００〜６００ｃｍ２であることが好ましい。
また、同様の観点から、前記平面状態において、各レッグ開口部６の開口縁部６Ａ，６Ｂに囲まれた各領域Ｐ１の面積ａは９０〜２５０ｃｍ２、特に１２０〜２００ｃｍ２であることが好ましい。
【００２９】
上述した各実施形態の使い捨ておむつにおける各部の形成材料について説明する。表面シート２、裏面シート３、吸収体４、立体ガード７、外層シート２１及び内層シート２２等の形成材料としては、従来の使い捨ておむつ等において用いられている各種の材料を用いることができる。前記弾性部材５１、６１、７１の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプの糸状のもの等を用いられる。尚、吸収体と重なる部分における弾性部材６１、７１は、該吸収体の少なくとも幅方向中央部においては弾性伸縮性を発現しないように左右に分割されていることが好ましい。
【００３０】
以上、本発明の好ましい実施形態について説明したが、本発明は、上述した実施形態に制限されない。
例えば、おむつ１，１’におけるレッグ開口部の後身頃Ｂに位置する開口縁部６Ｂは、ほぼ直線状になされていても良い。
本発明の使い捨ておむつは、成人用、特に高齢者用に適しているが、幼児用に適用することもできる。
【００３１】
【実施例】
＜実施例１＞
外装体形成用の伸縮性シート（非ギャザー型のシート）として東レ・デュポン社製の「ＭＥＸＬＡＲ」を用い、第１実施形態のおむつと同様の構成を有するおむつを製造した。
【００３２】
＜実施例２＞
外装体形成用の外層及び内層シートとして何れも不織布を用いて、第２実施形態のおむつと同様の構成を有するおむつを製造した。
製造した実施例の各おむつについて、前記領域Ｐ１の面積ａ（左右の平均値，左右各別の値もほぼ同じ）、前記領域Ｐ２の面積ｂ及び前記比（ａ／ｂ）等を測定して表１に示した。
【００３３】
＜実施例３＞
各部の面積や寸法等を表１に示す通りとした以外は、実施例１と同一構成のおむつを製造した。
【００３４】
＜比較例１〜６＞
市販の成人用おむつを用意し、そのそれぞれについて、前記領域Ｐ１の面積ａ（左右の平均値）、前記領域Ｐ２の面積ｂ及び前記比（ａ／ｂ）等を求めて、表１に併せて示した。
【００３５】
尚、実施例２及び比較例１〜６は、外装体にギャザーにより弾性伸縮性を付与したタイプであり、各部の弾性部材を設計寸法まで伸張させた状態で平面状態における各部の面積等を測定した。
【００３６】
＜性能評価＞
実施例及び比較例の使い捨ておむつについて、装着容易性、漏れ防止性、おむつのズレ防止性をそれぞれ下記の方法で評価した。結果を表１に示した。
【００３７】
１）装着容易性〔装着のし易さ〕
成人２０名に、実施例及び比較例の各おむつをそれぞれ３回装着してもらい、以下の基準で装着のし易さを評価してもらった。表１には、○と評価した人数を記載した。
（評価基準）
○；３回ともレッグ開口部にスムーズに脚を入れることができた。
×；レッグ開口部に脚がスムーズに入らない場合があった。
【００３８】
２）ズレ落ち防止性（歩行時）
実施例及び比較例の各おむつを、立位で両脚を前後させる歩行運動が可能であり、形態的に成人女性の腰部を模してある可動式の腰部モデルに、ウエスト開口周縁端（上端縁）の位置がウエスト（胴の最も細い位置での周長線上）に位置するように装着した。その状態で１００歩／分の歩行速度で５分間歩行運動をさせ、
運動後に１５０ｃｃの人口尿を注入して更に５分間歩行させ、その後更に１５０ｃｃの人口尿を注入して５分間歩行させ、その歩行運動後に、ウエスト開口周縁端（上端縁）の位置が元の位置からズレた距離（ズレ落ち量）を測定した。
【００３９】
３）漏れ防止性
実施例及び比較例の各おむつを、立位で両脚を前後させる歩行運動が可能であり、形態的に成人女性の腰部を模してある可動式の腰部モデルに、ウエスト開口周縁端（上端縁）の位置がウエスト（胴の最も細い位置での周長線上）に位置するように装着した。その状態で１００歩／分の歩行速度で５分間歩行運動をさせ、運動後に、２０ｇ／ｓｅｃの速度で人口尿を注入してモデルの股間部から排尿させた。モレに至るまでの注入量を測定した。
【００４０】
【表１】
2004357951.tif 000003
【００４１】
表１に示す評価結果から、実施例のおむつ１〜３のおむつは、装着性及びズレ防止性の何れにも優れていることが判る。これに対して、比較例２，３，４，６では装着性においてスムーズに脚を入れることができた人が過半数にも達せず、また比較例２，４，６においてはズレ落ちも生じている。尚、実施例１，２のおむつは、実施例３に比較して吸収性能又はモレ防止性能に一層優れている。
【００４２】
【発明の効果】
本発明の使い捨ておむつは、レッグ開口部に容易に脚を通すことができ、装着性に優れており、着用中におむつのズレ落ちが生じにくいものである。
【図面の簡単な説明】
【図１】図１は、本発明の一実施形態としての使い捨ておむつを示す斜視図である。
【図２】図２は、図１の使い捨ておむつの展開状態における長手方向の全長を２等分する中央線を堺にして区分される前身頃と後身頃とを、前記表面シート側の面同士を面接させて重ね合わせた平面状態を、前身頃側から見た図であり、前身頃の一部を破断してある。
【図３】図３は、図１の使い捨ておむつを展開した状態を示す平面図である。
【図４】図４は、本発明の他の実施形態としての使い捨ておむつを展開した状態を一部破断して示す平面図である。
【符号の説明】
１，１    使い捨ておむつ
２    表面シート
３    裏面シート
４    吸収体
５    ウエスト開口部
６    レッグ開口部
６Ａ  レッグ開口部の前身頃に位置する開口縁部
６Ｂ  レッグ開口部の後身頃に位置する開口縁部
１０  吸収性本体
２０，２０’  外装体
Ｐ１  各レッグ開口部の開口周縁に囲まれた領域
Ｐ２  前身頃における両レッグ開口部同士間の領域
Ａ    前身頃
Ｂ    後身頃
【図１】
2004357951.tif 000004
【図２】
2004357951.tif 000005
【図３】
2004357951.tif 000006
【図４】
2004357951.tif 000007